【手続補正書】
【提出日】平成19年9月11日(2007.9.11)
【手続補正１】
【補正対象書類名】特許請求の範囲
【補正対象項目名】全文
【補正方法】変更
【補正の内容】
【特許請求の範囲】
【請求項１】
記録部の上流側に配され、搬送ローラと該搬送ローラと圧接するピンチローラにより被記録媒体を搬送する搬送部と、
記録部の下流側から被記録媒体を供給することが可能な第１の位置と、前記被記録媒体を供給することができない第２の位置と、に変位可能なガイド手段と、
前記ガイド手段が前記第１の位置と前記第２の位置とのいずれにあるかを検知する検知手段と、
前記検知手段により前記ガイド手段が前記第２の位置から前記第１の位置に移動したことが検知されると、前記ピンチローラを前記搬送ローラと圧接した位置から離間することを特徴とする記録装置。
【請求項２】
前記ガイド手段が前記第２の位置から前記第１の位置に移動したことが前記検知手段により検知され、記録動作の開始信号が出力されると、前記ピンチローラを前記搬送ローラと圧接した位置から離間することを特徴とする請求項１に記載の記録装置。
【請求項３】
前記記録部を、前記搬送部によって前記記録部と対向する位置に搬送された前記記録媒体との距離が相対的に大きい第１の位置と、前記距離が前記第１の距離より小さい第２の位置と、に変更することが可能な変更手段を有し、
前記変更手段は、前記ガイド手段が前記第１の位置にあるときは前記記録部を前記第１の位置に配し、前記ガイド手段が前記第２の位置にあるときは前記記録部を前記第２の位置に配することを特徴とする請求項１または２に記載の記録装置。
【請求項４】
前記変更手段と同一の駆動源により、前記ピンチローラを前記搬送ローラと圧接した位置から離間することを特徴とする請求項３に記載の記録装置。
【請求項５】
略直線状の搬送経路を構成する第１の形態と、湾曲した搬送経路を構成する第２の形態と、に移動することが可能な通紙ガイドを有し、
前記通紙ガイドは、前記ガイド手段が前記第１の位置にあるときは前記第１の形態をとり、前記ガイド手段が前記第２の位置にあるときは前記第２の形態をとることを特徴とする請求項１ないし４のいずれか１項に記載の記録装置。
【請求項６】
前記搬送ローラと前記記録部との間に配され、前記被記録媒体の有無を検知することが可能な検知位置と、前記被記録媒体の搬送路から退避した退避位置と、に移動可能な検知レバーを有し、
前記検知レバーは、前記ガイド手段が前記第１の位置にあるときは前記退避位置に配され、前記ガイド手段が前記第２の位置にあるときは前記検知位置に配されることを特徴とする請求項１ないし５のいずれか１項に記載の記録装置。
【手続補正２】
【補正対象書類名】明細書
【補正対象項目名】０００７
【補正方法】変更
【補正の内容】
【０００７】
上記目的を達成するため、本発明の記録装置は、記録部の上流側に配され、搬送ローラと該搬送ローラと圧接するピンチローラにより被記録媒体を搬送する搬送部と、記録部の下流側から被記録媒体を供給することが可能な第１の位置と、前記被記録媒体を供給することができない第２の位置と、に変位可能なガイド手段と、前記ガイド手段が前記第１の位置と前記第２の位置とのいずれにあるかを検知する検知手段と、前記検知手段により前記ガイド手段が前記第２の位置から前記第１の位置に移動したことが検知されると、前記ピンチローラを前記搬送ローラと圧接した位置から離間することを特徴とする。
【手続補正３】
【補正対象書類名】明細書
【補正対象項目名】０００８
【補正方法】変更
【補正の内容】
【０００８】
上記本発明の記録装置によれば、ガイド手段を記録装置に装着し、そのガイド手段を、被記録媒体を通常の搬送方向の下流側から搬送部に供給する際に被記録媒体をガイドする第１の位置に配するだけで、ピンチローラの離間動作が自動的に行われるので、例えば被記録媒体として厚紙被記録用紙を用いる場合に、記録操作時に使用者がピンチローラの離間動作を行うといった手間を減らすことができ、記録装置の操作性を向上させることが可能になる。さらに、本発明の記録装置によれば、ガイド手段から被記録媒体を供給する際にピンチローラが搬送ローラから離間するので、先端が薄くテーパー状になった専用の厚紙被記録用紙でなくても供給して記録を行うことが可能である。
【手続補正４】
【補正対象書類名】明細書
【補正対象項目名】０００９
【補正方法】変更
【補正の内容】
【０００９】
さらに、前記ガイド手段が前記第２の位置から前記第１の位置に移動したことが前記検知手段により検知され、記録動作の開始信号が出力されると、前記ピンチローラを前記搬送ローラと圧接した位置から離間するように構成されていてもよい。
【手続補正５】
【補正対象書類名】明細書
【補正対象項目名】００１０
【補正方法】変更
【補正の内容】
【００１０】
また、前記記録部を、前記搬送部によって前記記録部と対向する位置に搬送された前記記録媒体との距離が相対的に大きい第１の位置と、前記距離が前記第１の距離より小さい第２の位置と、に変更することが可能な変更手段を有し、前記変更手段は、前記ガイド手段が前記第１の位置にあるときは前記記録部を前記第１の位置に配し、前記ガイド手段が前記第２の位置にあるときは前記記録部を前記第２の位置に配するように構成されていてもよい。
【手続補正６】
【補正対象書類名】明細書
【補正対象項目名】００１１
【補正方法】変更
【補正の内容】
【００１１】
これによれば、第１の位置に配されたガイド手段から被記録媒体として厚紙被記録用紙を供給する場合には、記録部が被記録媒体との距離が相対的に大きい第１の位置に配されるので、被記録媒体として厚紙被記録用紙が供給された場合であっても記録部と被記録媒体との紙間距離を適正な距離に保つことができる。一方、ガイド手段が第２の位置に配され、被記録媒体として比較的薄い普通紙が供給される場合には、記録部が被記録媒体との距離が第１の距離より小さい第２の位置に配されるので、この場合にも記録部と被記録媒体との紙間距離を適正な距離に保つことができる。
【手続補正７】
【補正対象書類名】明細書
【補正対象項目名】００１２
【補正方法】変更
【補正の内容】
【００１２】
さらに、前記変更手段と同一の駆動源により、前記ピンチローラを前記搬送ローラと圧接した位置から離間するように構成されていてもよい。
【手続補正８】
【補正対象書類名】明細書
【補正対象項目名】００１３
【補正方法】変更
【補正の内容】
【００１３】
また、略直線状の搬送経路を構成する第１の形態と、湾曲した搬送経路を構成する第２の形態と、に移動することが可能な通紙ガイドを有し、
前記通紙ガイドは、前記ガイド手段が前記第１の位置にあるときは前記第１の形態をとり、前記ガイド手段が前記第２の位置にあるときは前記第２の形態をとるように構成されていてもよい。
【手続補正９】
【補正対象書類名】明細書
【補正対象項目名】００１４
【補正方法】変更
【補正の内容】
【００１４】
この構成によれば、第１の位置に配されたガイド手段から被記録媒体として厚紙被記録用紙を供給する場合に、通紙ガイドは略直線状の搬送経路を構成する第１の形態をとるので、厚紙被記録用紙を湾曲させることなく搬送することができることから、被記録媒体の搬送機構や駆動源に負荷を加えることなく被記録媒体を搬送することが可能になる。
【手続補正１０】
【補正対象書類名】明細書
【補正対象項目名】００１５
【補正方法】変更
【補正の内容】
【００１５】
また、前記搬送ローラと前記記録部との間に配され、前記被記録媒体の有無を検知することが可能な検知位置と、前記被記録媒体の搬送路から退避した退避位置と、に移動可能な検知レバーを有し、前記検知レバーは、前記ガイド手段が前記第１の位置にあるときは前記退避位置に配され、前記ガイド手段が前記第２の位置にあるときは前記検知位置に配されるように構成されていてもよい。
【手続補正１１】
【補正対象書類名】明細書
【補正対象項目名】００１６
【補正方法】変更
【補正の内容】
【００１６】
この構成によれば、第１の位置に配されたガイド手段から被記録媒体を供給する場合には、検知レバーは被記録媒体の搬送路から待避した位置である待避位置に配されるので、被記録媒体として厚紙被記録用紙を供給する場合でも、被記録媒体が検知レバーに干渉してその搬送の妨げになることはない。